Podtech/llm-jp-corpus-v4-ja_patent huggingface dataset:
【手続補正書】
【提出日】平成20年9月3日(2008.9.3)
【手続補正１】
【補正対象書類名】特許請求の範囲
【補正対象項目名】請求項１０
【補正方法】変更
【補正の内容】
【請求項１０】
前記情報処理装置は、一つ以上のディスクドライブを備え、
前記一つ以上のインタフェース制御部は、前記一つ以上のディスクドライブに接続された第１のインタフェース制御部と、ネットワーク通信を行う第２のインタフェース制御部と、を含み、
前記システム制御部は、
前記第２のインタフェース制御部が受信したデータ、及び、前記ネットワークにおいて使用される通信プロトコルによって当該データに付加された第２の誤り検出符号又は誤り訂正符号を前記メモリに格納し、
前記メモリに格納されたデータから前記第２の誤り検出符号又は誤り訂正符号を削除し、当該データに前記誤り検出符号を付加し、
前記第１のインタフェース制御部は、前記データ及び前記誤り検出符号を前記メモリから前記ディスクドライブに転送することを特徴とする請求項１に記載の情報処理装置。
【手続補正２】
【補正対象書類名】特許請求の範囲
【補正対象項目名】請求項２５
【補正方法】変更
【補正の内容】
【請求項２５】
前記情報処理装置は、一つ以上のディスクドライブを備え、
前記一つ以上のインタフェース制御部は、前記一つ以上のディスクドライブに接続された第１のインタフェース制御部と、ネットワーク通信を行う第２のインタフェース制御部と、を含み、
前記システム制御部は、
前記第２のインタフェース制御部が受信したデータと、前記通信ネットワークにおいて使用される通信プロトコルによって当該データに付加された第２の誤り検出符号又は誤り訂正符号とを前記メモリに格納し、
前記メモリに格納されたデータから前記第２の誤り検出符号又は誤り訂正符号を削除し、当該データに前記誤り検出符号を付加し、
前記第１のインタフェース制御部は、前記データ及び前記誤り検出符号を前記メモリから前記ディスクドライブに転送することを特徴とする請求項１７に記載の方法。
【誤訳訂正書】
【提出日】平成20年4月16日(2008.4.16)
【誤訳訂正１】
【訂正対象書類名】明細書
【訂正対象項目名】特許請求の範囲
【訂正方法】変更
【訂正の内容】
【特許請求の範囲】
【請求項１】
ハードコーティングと食べることができ、咀嚼できる及び（又は）薬学的コアからなる砂糖不含ハードコーティングされた食料品において、このハードコーティングの少なくとも１層はソルビトールとエリスリトールの液体混合物から得られ、その際この混合物の乾燥物質は６０％ｗ／ｗソルビトール及び４０％ｗ／ｗエリスリトールを含有することを特徴とする、上記食料品。
【請求項２】
ソルビトールとエリスリトールの混合物からなるハードコーティングの層がコアへの良好な接着をもたらす、請求項１記載の砂糖不含ハードコーティングされた食料品。
【請求項３】
ハードコーティングが結合剤、分散剤、膜形成剤、着色料及び（又は）調味料を含有する、請求項１又は２記載の砂糖不含ハードコーティングされた食料品。
【請求項４】
ハードコーティングが１〜１００層からなる、請求項１〜３のいずれかに記載の砂糖不含ハードコーティングされた食料品。
【請求項５】
コアが医薬錠剤、チューインガム、菓子製品、チョコレート及びナッツより成る群から選ばれる、請求項１記載の砂糖不含ハードコーティングされた食料品。
【請求項６】
回転パン中で液体コーティングシロップを動いているコア塊に添加することによって砂糖不含ハードコーティングされた食料品を調製する方法において、液体コーティングシロップはソルビトールとエリスリトールの混合物を含有し、その際この混合物の乾燥物質は６０％ｗ／ｗソルビトール及び４０％ｗ／ｗエリスリトールを含有することを特徴とする、上記ハードコーティングの調製方法。
【請求項７】
層の塗布が１００回まで繰り返される、請求項６記載の方法。
【誤訳訂正２】
【訂正対象書類名】明細書
【訂正対象項目名】００１２
【訂正方法】変更
【訂正の内容】
【００１２】
【発明が解決しようとする課題】
本発明はハードコーティングと食べることができ、咀嚼できる及び（又は）薬学的コアからなる砂糖不含ハードコーティングされた食料品において、このハードコーティングの少なくとも１層はエリスリトールとソルビトールの混合物を含有し、その際この混合物の乾燥物質が１％〜５０％ｗ／ｗエリスリトールを含有することを特徴とする、上記食料品に関する。
【誤訳訂正３】
【訂正対象書類名】明細書
【訂正対象項目名】００２４
【訂正方法】変更
【訂正の内容】
【００２４】
本発明はハードコーティングと食べることができ、咀嚼できる及び（又は）薬学的コアからなる砂糖不含ハードコーティングされた食料品において、このハードコーティングの少なくとも１層はソルビトールとエリスリトールの混合物を含有し、その際この混合物の乾燥物質が１％〜５０％ｗ／ｗエリスリトールを含有することを特徴とする、上記食料品に関する。
【誤訳訂正４】
【訂正対象書類名】明細書
【訂正対象項目名】００２６
【訂正方法】変更
【訂正の内容】
【００２６】
更に本発明は、ソルビトールとエリスリトールの混合物を含有する液体コーティングシロップ−−−−−この場合混合物の乾燥物質は１％〜５０％ｗ／ｗエリスリトール、 好ましくは５％〜４５％ｗ／ｗ、より好ましくは２０％〜４５％ｗ／ｗエリスリトールを含有する−−−−−  に関する。これらのコーティングシロップを使用することで、均一で滑らかな表面を有し、かつコアへの良好な接着を有するぱりぱりした食感の及び (又は) ぼりぼりかみ砕けるハードコーティングが得られる。ハードコーティングの少なくとも一層は、ソルビトールとエリスリトールの混合物を含有し、この層がコアへの良好な接着をもたらす。
【手続補正書】
【提出日】平成20年11月5日(2008.11.5)
【手続補正１】
【補正対象書類名】特許請求の範囲
【補正対象項目名】全文
【補正方法】変更
【補正の内容】
【特許請求の範囲】
【請求項１】
各種加工をする為のねじりブラシにおいて、前記ねじりブラシは、ブラシ部、及び捩り加工が施された芯線により形成された支軸部及び保持部を有し、前記保持部は前記ねじりブラシの端部に位置すると共に、前記保持部には複数のブラシ片が前記芯線にて挟み付けられたブラシ部が形成されてあることを特徴とするねじりブラシ。
【請求項２】
請求項１記載の構成よりなるねじりブラシにおいて、前記保持部は前記芯線によりループ状に形成されてあることを特徴とするねじりブラシ。
【請求項３】
請求項１及び２記載の構成よりなるねじりブラシにおいて、前記ブラシ片は合成樹脂基材の中にダイヤモンド、セラミック、金属、合金、あるいは天然鉱石の少なくとも１種類以上の砥粒が含まれてあることを特徴とするねじりブラシ。
【請求項４】
請求項１から３記載の構成よりなるねじりブラシ、及び筒状体から形成されてあると共に、前記筒状体は前記ブラシ部の回転外径よりも小の内径を有することを特徴とするねじりブラシ工具。
【手続補正２】
【補正対象書類名】明細書
【補正対象項目名】０００８
【補正方法】変更
【補正の内容】
【０００８】
第１の課題解決手段は、各種加工をする為のねじりブラシにおいて、前記ねじりブラシは、ブラシ部、及び捩り加工が施された芯線により形成された支軸部及び保持部を有し、前記保持部は前記ねじりブラシの端部に位置すると共に、前記保持部には複数のブラシ片が前記芯線にて挟み付けられたブラシ部が形成されてある構成としたものである。
【手続補正書】
【提出日】平成20年11月5日(2008.11.5)
【手続補正１】
【補正対象書類名】特許請求の範囲
【補正対象項目名】全文
【補正方法】変更
【補正の内容】
【特許請求の範囲】
【請求項１】
鋼板の表面に付着した汚れを除去する為のブラシロールにおいて、前記ブラシロールはシャフトの周面に、芯線と帯状体とに挟持されたブラシ片を有するチャンネルブラシが形成されてあると共に、前記ブラシ片は撚り線のみ、あるいは撚り線と単線から形成されてあることを特徴とするブラシロール。
【請求項２】
請求項１記載の構成よりなるブラシロールにおいて、前記ブラシ片は、ステンレス鋼線、ピアノ線、硬鋼線あるいは真鍮線のいずれか１種類以上を有することを特徴とするブラシロール。
【請求項３】
請求項１または２記載の構成よりなるブラシロールにおいて、前記撚り線の外径が０．１ｍｍ以上あるいは前記撚り線を構成する単線の外径が０．０５ｍｍ以上により形成されてあることを特徴とするブラシロール。
【請求項４】
請求項１から３記載の構成よりなるブラシロールにおいて、前記撚り線の外径が０．１ｍｍ以上１．５ｍｍ以下あるいは前記撚り線を構成する単線の外径が０．０５ｍｍ以上０．５ｍｍ以下により形成されてあることを特徴とするブラシロール。
【請求項５】
請求項１から４記載の構成よりなるブラシロールにおいて、前記単線あるいは前記撚り線を構成する単線の少なくとも１本以上の断面が多角形にて形成されてあることを特徴とするブラシロール。
【手続補正２】
【補正対象書類名】明細書
【補正対象項目名】０００８
【補正方法】変更
【補正の内容】
【０００８】
第１の課題解決手段は、鋼板の表面に付着した汚れを除去する為のブラシロールにおいて、前記ブラシロールはシャフトの周面に、芯線と帯状体とに挟持されたブラシ片を有するチャンネルブラシが形成されてあると共に、前記ブラシ片は撚り線のみ、あるいは撚り線と単線から形成されてある構成としたものである。
【手続補正書】
【提出日】平成20年8月28日(2008.8.28)
【手続補正１】
【補正対象書類名】特許請求の範囲
【補正対象項目名】全文
【補正方法】変更
【補正の内容】
【特許請求の範囲】
【請求項１】
液体をノズルに供給するための、少なくとも２種以上の前記液体にそれぞれ対応した供給流路を備え、前記ノズルから前記液体を吐出可能な液体吐出装置であって、
前記供給流路におけるフィルタ部材のメッシュ径が、一の前記液体に対応する供給流路と他の種類の前記液体に対応する供給流路とで異なるようにされていることを特徴とする液体吐出装置。
【請求項２】
気泡の発生速度が互いに異なる前記２種以上の液体に対応した請求項１に記載の液体吐出装置であって、
一の前記液体に対応する前記供給流路におけるメッシュ径が、当該一の液体よりも気泡の発生速度の速い種類の前記液体に対応する前記供給流路におけるメッシュ径よりも、大きくされていることを特徴とする液体吐出装置。
【請求項３】
前記液体の少なくとも１種は、自己分解により気体を発生しやすい成分を含むインクであることを特徴とする請求項１又は２に記載の液体吐出装置。
【請求項４】
前記ノズルから前記液体を強制的に排出させるための強制排出手段を備える請求項１ないし３のいずれか一項に記載の液体吐出装置。
【手続補正書】
【提出日】平成20年11月11日(2008.11.11)
【手続補正１】
【補正対象書類名】特許請求の範囲
【補正対象項目名】全文
【補正方法】変更
【補正の内容】
【特許請求の範囲】
【請求項１】
記録媒体の記録幅全体に亘る記録を行うライン型インクジェット記録ヘッドとして、その記録幅の一部の幅部分の印刷をそれぞれ分担する複数のインクジェット記録ヘッドを用いて印刷を行う印刷装置を制御する印刷制御方法であって、
１つのライン型インクジェット記録ヘッドを構成する個々のインクジェット記録ヘッドを印刷可能状態と印刷待機状態とに独立に制御可能とし、印刷システムの印刷開始後も、記録を行う必要のないインクジェット記録ヘッドについては印刷待機状態を維持することを特徴とする印刷制御方法。
【請求項２】
前記複数のインクジェット記録ヘッドを個別にキャッピングするキャッピング機構を備え、前記印刷待機状態では前記キャッピング機構により当該インクジェット記録ヘッドのキャッピングを行うことを特徴とする請求項１記載の印刷制御方法。
【請求項３】
記録媒体の記録幅全体に亘る記録を行うライン型インクジェット記録ヘッドとして、その記録幅の一部の幅部分の印刷をそれぞれ分担する複数のインクジェット記録ヘッドを用いて印刷を行う印刷装置であって、
１つのライン型インクジェット記録ヘッドを構成する個々のインクジェット記録ヘッドを印刷可能状態と印刷待機状態とに独立に制御可能とし、印刷システムの印刷開始後も、記録を行う必要のないインクジェット記録ヘッドについては印刷待機状態を維持することを特徴とする印刷装置。
【請求項４】
前記複数のインクジェット記録ヘッドを個別にキャッピングするキャッピング機構を備え、前記印刷待機状態では前記キャッピング機構により当該インクジェット記録ヘッドのキャッピングを行うことを特徴とする請求項３記載の印刷装置。
【請求項５】
記録媒体の記録幅全体に亘る記録を行うライン型インクジェット記録ヘッドとして、その記録幅の一部の幅部分の印刷をそれぞれ分担する複数のインクジェット記録ヘッドを用いて印刷する印刷装置と、前記複数のインクジェット記録ヘッド用の印刷データを生成する情報処理装置とを備えた印刷システムにおいて、
前記印刷装置は、個々のインクジェット記録ヘッドを印刷可能状態と印刷待機状態とに独立に制御可能とし、印刷システムの印刷開始後も、記録を行う必要のないインクジェット記録ヘッドについては印刷待機状態を維持することを特徴とする印刷システム。
【請求項６】
前記複数のインクジェット記録ヘッドを個別にキャッピングするキャッピング機構を備え、前記印刷待機状態では前記キャッピング機構により当該インクジェット記録ヘッドのキャッピングを行うことを特徴とする請求項５記載の印刷システム。
【請求項７】
前記情報処理装置から転送された印刷データに基づいて、記録を行う必要があるか否かを印刷装置側で判断することを特徴とする請求項５記載の印刷システム。
【請求項８】
前記複数のインクジェット記録ヘッドの各々の記録を行う必要があるか否かを前記情報処理装置側で判断し、前記情報処理装置から記録を行う必要のない記録ヘッドの存在を前記印刷装置へ通知するとともに当該記録ヘッドへの印刷データの転送を省略することを特徴とする請求項５記載の印刷システム。
【請求項９】
前記複数のインクジェット記録ヘッドの各々の記録を行う必要があるか否かを前記情報処理装置側で判断し、前記情報処理装置から、記録を行う必要のない記録ヘッドに対する記録抑止命令を前記印刷装置へ転送するとともに当該記録ヘッドへの印刷データの転送を省略することを特徴とする請求項５記載の印刷システム。
【手続補正２】
【補正対象書類名】明細書
【補正対象項目名】発明の名称
【補正方法】変更
【補正の内容】
【発明の名称】印刷制御方法、印刷装置および印刷システム
【手続補正３】
【補正対象書類名】明細書
【補正対象項目名】００１９
【補正方法】変更
【補正の内容】
【００１９】
ＰＣ１００は、通信インターフェース１５０を介して、印刷装置２００に接続されている。この通信インターフェース１５０としては、ネットワークケーブル、ＵＳＢケーブル、ＩＥＥＥ１２８４、ＩＥＥＥ１３９４等が利用できる。本実施の形態では、ＵＳＢケーブルを使用して印刷装置２００に印刷データを送信する。ＰＣ１００は、画像生成後、印刷データを印刷装置２００に送信し、印刷装置のステータス監視を行う。
【手続補正４】
【補正対象書類名】明細書
【補正対象項目名】００２８
【補正方法】変更
【補正の内容】
【００２８】
Ｉ／Ｏポート２２１は、ＣＰＵ２１０の制御下で、モータ駆動部２２２に制御信号を与えて、キャッピングモータ２２３やポンプモータ２２４のような外部の出力装置を制御する。キャッピングモータ２２３は、不使用時に記録ヘッド２２０にキャップをしてインクの乾燥を防ぐためのキャッピング機構（キャッピング手段）２２５を駆動する動力源である。本実施の形態でのキャッピングは、印刷装置の記録ヘッドの組単位に行われるものを想定している。ポンプモータ２２４は記録ヘッド中のインクに圧力を掛けて記録ヘッドの回復動作等を行うポンプ２２６を駆動するための動力源である。キャッピングモータ２２３、キャッピング機構２２５、ポンプモータ２２４、ポンプ２２６も記録ヘッドの組数（本例では４組）分設けられる。
【手続補正書】
【提出日】平成20年11月5日(2008.11.5)
【手続補正１】
【補正対象書類名】特許請求の範囲
【補正対象項目名】全文
【補正方法】変更
【補正の内容】
【特許請求の範囲】
【請求項１】
記録媒体に印字するための記録ヘッドにインクを供給するインクタンクを具備するインク供給装置において、一対の電極から構成されるインク量検知部材を有し、その一対の電極の一方は、前記インクタンク内に設けられたインク吸引管で、他方はインク吸引管の外に設けられ、前記インク吸引管の先端には前記インクタンクに密着してインクを吸引する弾性を有する吸引部材が備えられていることを特徴とするインク供給装置。
【請求項２】
前記吸引部材はインクの流路となる切欠部を有することを特徴とする請求項１に記載のインク供給装置。
【請求項３】
前記吸引部材にはフィルタを備えていること特徴とする請求項１、２に記載のインク供給装置。
【手続補正２】
【補正対象書類名】明細書
【補正対象項目名】００１６
【補正方法】変更
【補正の内容】
【００１６】
請求項１の発明は、記録媒体に印字するための記録ヘッドにインクを供給するインクタンクを具備するインク供給装置において、一対の電極から構成されるインク量検知部材を有し、その一対の電極の一方は、前記インクタンク内に設けられたインク吸引管で、他方はインク吸引管の外に設けられ、前記インク吸引管の先端には前記インクタンクに密着してインクを吸引する弾性を有する吸引部材が備えられていることを特徴とする。
【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】削除
【補正の内容】
【手続補正書】
【提出日】平成20年4月24日(2008.4.24)
【手続補正１】
【補正対象書類名】特許請求の範囲
【補正対象項目名】全文
【補正方法】変更
【補正の内容】
【特許請求の範囲】
【請求項１】
画像データを取得するための第１の撮像手段と、
前記第１の撮像手段により取得する画像データとは独立して構成される画像データを取得するための第２の撮像手段と、
前記第１および第２の撮像手段から画像データをそれぞれ受けて、前記撮像手段を特定し得る識別データを各画像データに含ませた送信用データを生成する送信用データ生成手段と、
を具備することを特徴とする生体内画像取得装置。
【請求項２】
前記第１の撮像手段における撮像視野を照明する第１の照明手段と、
前記第２の撮像手段における撮像視野を照明する第２の照明手段と、
前記第１の撮像手段、前記第１の照明手段、前記第２の撮像手段、前記第２の照明手段それぞれの駆動タイミングを制御する制御部と、
をさらに具備し、前記制御部は、前記第１の照明手段の消灯中に、前記第１の撮像手段により取得した画像データを前記送信データ生成手段へ出力し、かつ前記第２の照明手段の消灯中に、前記第２の撮像手段により取得した画像データを前記送信データ生成手段へ出力するよう制御することを特徴とする請求項１に記載の生体内画像取得装置。
【請求項３】
前記制御部は、前記第１の撮像手段により取得した画像データを前記送信データ生成手段へ出力してから、前記第２の照明手段を点灯するとともに前記第２の撮像手段により撮像し、その後、前記第２の照明手段を消灯させるよう制御するとともに、
前記第２の撮像手段により取得した画像データを前記送信データ生成手段へ出力してから、前記第１の照明手段を点灯するとともに前記第１の撮像手段により撮像し、その後、前記第１の照明手段を消灯させるよう制御することを特徴とする請求項２に記載の生体内画像取得装置。
【請求項４】
前記識別データは、前記画像データの前段に付加されることを特徴とする請求項１〜３のいずれか一つに記載の生体内画像取得装置。
【請求項５】
撮像手段を特定し得る識別データが付加された画像データを受信する受信手段と、
前記受信手段により受信された画像データが、複数の撮像手段のうちのいずれの撮像手段で撮像された画像データであるかを、前記付加された識別データをもとに識別する識別手段と、
分割された記憶領域を有し、前記画像データを前記識別手段により識別された前記撮像手段毎に分けて前記記憶領域に記憶する記憶手段と、
を備えることを特徴とする受信装置。
【請求項６】
前記受信手段により受信された画像データに対して、前記識別手段で識別された前記撮像手段の画像データ毎に動画圧縮を行う圧縮手段を、
さらに備えることを特徴とする請求項５に記載の受信装置。
【請求項７】
前記記憶手段に記憶された前記撮像手段毎の前記画像データを順次出力する出力手段を、
さらに備えることを特徴とする請求項５または６に記載の受信装置。
【請求項８】
画像データを取得するための第１の撮像手段と、前記第１の撮像手段により取得する画像データとは独立して構成される画像データを取得するための第２の撮像手段と、前記第１および第２の撮像手段から画像データをそれぞれ受けて、前記撮像手段を特定し得る識別データを各画像データに含ませた送信用データを生成する送信用データ生成手段と、前記送信用データ生成手段によって生成された送信用データをもとに無線送信する送信手段と、を有する生体内画像取得装置と、
前記送信手段により送信されたデータを受信する受信手段と、前記受信手段により受信された前記データに含まれる画像データが、前記撮像手段のうちのいずれの撮像手段で撮像された画像データであるかを、前記生成された識別データをもとに識別する識別手段と、分割された記憶領域を有し、前記画像データを前記識別手段により識別された前記撮像手段毎に分けて前記記憶領域に記憶する記憶手段と、を有する受信装置と、
を備えることを特徴とする生体内情報取得システム。
【請求項９】
前記識別データは、前記画像データの前段に付加されることを特徴とする請求項８に記載の生体内情報取得システム。
【請求項１０】
前記送信手段は、前記複数の撮像手段により撮像された画像データを１対の画像データとして送信することを特徴とする請求項８に記載の生体内情報取得システム。
【請求項１１】
前記受信装置は、前記受信手段により受信された画像データに対して、前記識別手段で識別された前記撮像手段の画像データ毎に動画圧縮を行う圧縮手段を、さらに有することを特徴とする請求項８に記載の生体内情報取得システム。
【請求項１２】
前記受信装置は、前記記憶手段に記憶された前記撮像手段毎の前記画像データを順次出力する出力手段をさらに有し、
前記出力手段により順次出力された前記画像データを取り込む取込手段と、前記取込手段で取り込んだ前記画像データを前記撮像手段毎に異なる表示領域に表示するように表示制御する表示制御手段と、を有する画像表示装置を、さらに備えることを特徴とする請求項８または１１に記載の生体内情報取得システム。
【請求項１３】
前記画像表示装置は、連続する画像毎に動きベクトルを求め、前記動きベクトルに基づいて、前記受信装置から順次取り込まれる画像が、前記体腔内における前記生体内画像取得装置のいずれの方向の画像であるかを検知する方向検知手段を、さらに備えることを特徴とする請求項１２に記載の生体内情報取得システム。
【手続補正２】
【補正対象書類名】明細書
【補正対象項目名】００２１
【補正方法】変更
【補正の内容】
【００２１】
撮像ブロック１４ａ，１４ｂ間に位置する電源部１５は、たとえば胴部筐体１６ｃの内径にほぼ一致する直径のボタン型の電池２９により構成されている。この電池２９は、酸化銀電池、充電式電池、発電式電池などを用い得る。ここで、各撮像ブロック１４ａ，１４ｂとこの電池２９との間の中心部には、撮像ブロック１４ａ，１４ｂをそれぞれ対向する先端カバー筐体１６ａ，１６ｂ側、つまり外側に付勢する弾性部材としてのねじりコイルばね形状のばね部材３０ａ，３０ｂが介在されている。なお、無線基板２８上の無線部２７と制御部２６ｂとは電池２９外部を通したケーブルなどにより適宜電気的に接続されている。なお、無線部２７は、撮像ブロック１４ａ，１４ｂで共用とせず、撮像ブロック１４ａ，１４ｂ毎に個別に設けてもよい。
【手続補正書】
【提出日】平成20年5月30日(2008.5.30)
【手続補正１】
【補正対象書類名】特許請求の範囲
【補正対象項目名】全文
【補正方法】変更
【補正の内容】
【特許請求の範囲】
【請求項１】
X線発生装置と、相対してX線を検出する多列X線検出器とを、その間にある回転中心のまわりに回転運動をさせながら、その間にある被検体を透過したX線投影データを収集するX線データ収集手段と、
前記X線データ収集手段から収集された投影データに基づいて断層像を画像再構成する画像再構成手段と、
を備えるX線CT装置において、
前記X線CT装置は、CT値を正規化するCT値変換処理を前記投影データに対して行う際に用いられるCT値変換パラメータを、前記多列X線検出器の各列毎に求めるCT値変換パラメータ調整手段を含み、
前記画像再構成手段は、複数列の投影データを用いて一枚の断層像を画像再構成するために用いられる3次元逆投影処理の前に、前記CT値変換パラメータ調整手段により求められたパラメータを用いて、前記投影データに対するCT値変換処理を行うことを特徴とするX線CT装置。
【請求項２】
前記画像再構成手段は、再構成関数重畳処理後に、前記CT値変換処理を行うことを特徴とする請求項１に記載のX線CT装置。
【請求項３】
前記画像再構成手段は、再構成関数重畳処理前であって、前処理後に、前記CT値変換処理を行うことを特徴とする請求項１に記載のX線CT装置。
【請求項４】
前記CT値変換パラメータは、前記多列X線検出器の各列における投影データの前記断層像への寄与率に基づいて定めることを特徴とする請求項１から請求項３の何れか一項に記載のX線CT装置。
【請求項５】
X線発生装置と、相対してX線を検出する多列X線検出器とを、その間にある回転中心のまわりに回転運動をさせながら、その間にある被検体を透過したX線投影データを収集するX線データ収集手段と、
を備えるX線CT装置において、
前記X線データ収集手段から収集された投影データに基づいて断層像を画像再構成する画像再構成手段と、
を備えるX線CT装置において、
前記X線CT装置は、CT値を正規化するCT値変換処理を前記投影データに対して行う際に用いられるCT値変換パラメータを、前記多列X線検出器の各列における投影データの前記断層像の各画素への寄与率に基づき前記多列X線検出器の各列毎に求めるCT値変換パラメータ調整手段を含み、
前記画像再構成手段は、前記CT値変換パラメータ調整手段により求められたパラメータを用いて、前記断層像データに対するCT値変換処理を行うことを特徴とするX線CT装置。
【請求項６】
前記寄与率は、データ収集系の回転平面をxy平面、それに垂直な方向をz方向とした場合に、X線発生装置におけるX線焦点の位置、前記多列X線検出器の各列の位置、前記断層像の各画素のxy平面上の位置、及び前記断層像上のz座標位置に基づいて定められることを特徴とする請求項５に記載のX線CT装置。
【請求項７】
ヘリカルスキャンにおいて、ヘリカルピッチと断層像のz座標位置に対応して前記寄与率が定められることを特徴とする請求項５又は６に記載のX線CT装置。
【手続補正２】
【補正対象書類名】明細書
【補正対象項目名】発明の名称
【補正方法】変更
【補正の内容】
【発明の名称】Ｘ線CT装置
【手続補正書】
【提出日】平成20年11月7日(2008.11.7)
【手続補正１】
【補正対象書類名】特許請求の範囲
【補正対象項目名】請求項１
【補正方法】変更
【補正の内容】
【請求項１】
入浴者が着座する座席と、
前記座席が取り付けられる一つの昇降台と、
前記昇降台の昇降を案内する昇降レールと、
前記昇降レールが取り付けられ水平方向に移動自在な移動台と、
前記移動台の水平方向に沿った移動を案内する移動レールと、
少なくとも前記座席に着座した入浴者による吊下荷重が印加され前記移動台に対して揺動するアームと、
前記移動台上に設置され前記アームに印加される吊下荷重に対応して該吊下荷重を相殺するような力を発生する力発生機構と、
前記移動台と前記昇降台との間に前記アームを介して接続され、前記アームの鉛直方向に沿ったストロークに対して前記昇降台の同方向のストロークを増大する増ストローク機構と、
前記力発生機構に接続され該力発生機構が発生する力を用いて前記増ストローク機構を駆動する操作機構と、
を有し、
前記増ストローク機構は、
前記アーム上に設けられ揺動する該アームと共に移動する動滑車用プーリーと、
前記移動台ないし前記昇降レール上に設けられた方向変換用プーリーと、
一端が前記移動台に他端が前記昇降台に固定され、中間部が前記動滑車用プーリー及び方向変換用プーリーと前記方向変換用プーリーに懸回されるワイヤ、チェーン又はベルト（以下「ワイヤ等」という）と、
を備える、ことを特徴とする入浴リフト装置。
【手続補正２】
【補正対象書類名】明細書
【補正対象項目名】００１１
【補正方法】変更
【補正の内容】
【００１１】
上記目的を達成するため、本発明は、第１の視点において、入浴者が着座する座席と、前記座席が取り付けられる一つの昇降台と、前記昇降台の昇降を案内する昇降レールと、前記昇降レールが取り付けられ水平方向に移動自在な移動台と、前記移動台の水平方向に沿った移動を案内する移動レールと、少なくとも前記座席に着座した入浴者による吊下荷重が印加され前記移動台に対して揺動するアームと、前記移動台上に設置され前記アームに印加される吊下荷重に対応して該吊下荷重を相殺するような力を発生する力発生機構と、前記移動台と前記昇降台との間に前記アームを介して接続され、前記アームの鉛直方向に沿ったストロークに対して前記昇降台の同方向のストロークを増大する増ストローク機構と、前記力発生機構に接続され該力発生機構が発生する力を用いて前記増ストローク機構を駆動する操作機構と、を有し、前記増ストローク機構は、前記アーム上に設けられ揺動する該アームと共に移動する動滑車用プーリーと、前記移動台ないし前記昇降レール上に設けられた方向変換用プーリーと、一端が前記移動台に他端が前記昇降台に固定され、中間部が前記動滑車用プーリー及び方向変換用プーリーと前記方向変換用プーリーに懸回されるワイヤ、チェーン又はベルト（以下「ワイヤ等」という）と、を備える、ことを特徴とする入浴リフト装置を提供する。
【手続補正３】
【補正対象書類名】明細書
【補正対象項目名】００１２
【補正方法】変更
【補正の内容】
【００１２】
本発明の入浴リフト装置は、移動台上に力発生機構（揚力・昇降部）を設置ないし組み付けること、昇降台を一体型にすること、及び、増ストローク機構を前記移動台と前記昇降台との間に配置すること、すなわち、増ストローク機構を装置外まわりに（好ましくは、浴槽と反対側である装置背面）に配置することにより、装置のコンパクト化を達成している。また、本発明の入浴リフト装置は、入浴者が乗る昇降台の増ストロークを達成するための機構を備えているため、介護者の労力を削減することができる。
【手続補正４】
【補正対象書類名】明細書
【補正対象項目名】００１４
【補正方法】変更
【補正の内容】
【００１４】
本発明の好ましい実施の形態に係る入浴リフト装置は、増ストローク機構を装置外まわりに配置することにより、移動台及び昇降台をコンパクトに構成することができる。
【手続補正５】
【補正対象書類名】明細書
【補正対象項目名】００２９
【補正方法】変更
【補正の内容】
【００２９】
増ストローク機構６は、アーム２ａ上に設けられ揺動するアーム２ａと共に移動する第１のプーリー（動滑車用）６ａと、移動台１上に設けられた第２のプーリー（方向変換用、アーム２ａ側取り込み用）６ｂと、移動台１上に設けられた第３のプーリー（方向変換用、上部送り用）６ｃと、昇降レール４ないしそれと一体の部材上（昇降台７側）に設けられた第４のプーリー（方向変換用）６ｄと、一端が移動台１、他端が昇降台７に固定され、中間部が第１のプーリー６ａに懸回されると共に、第２〜第４のプーリー６ｂ〜６ｄによって方向変換されるワイヤ６ｅと、を備える。ワイヤ６ｅの動きは、アーム２ａと共に移動する第１のプーリー（動滑車用）６ａから、次の方向変換用の第３のプーリー６ｃに入った時点で倍の動きとなる。なお、増ストローク機構６は、基本的に装置外まわり（浴槽と反対側である装置背面側）に配置されている。
【手続補正書】
【提出日】平成20年11月4日(2008.11.4)
【手続補正１】
【補正対象書類名】特許請求の範囲
【補正対象項目名】全文
【補正方法】変更
【補正の内容】
【特許請求の範囲】
【請求項１】
遊技機前面を覆う扉体と、
絵柄を可変表示する絵柄表示装置と、
遊技球を貯留する球受け皿と、
同球受け皿の球入口を介して遊技球を払い出す払出手段と、
前記球受け皿の球出口を介して遊技球を取り込む取込手段と、
前記扉体の前面部に設けられ、前記絵柄の可変表示を停止させるべく操作される複数の停止操作部材と
を備え、
前記取込手段により予め定めた数の遊技球が取り込まれた場合に前記絵柄の可変表示の開始が許容され、その可変表示の停止後の停止絵柄に応じて前記払出手段による遊技球の払い出しを行う遊技機において、
前記各停止操作部材を、前記球受け皿の手前側壁部の前方において左右方向に並べて配置し、
前記球受け皿において前記手前側壁部から奥方へ向けて所定幅を有しかつ横長状の横長領域を形成するとともに、同横長領域とその奥側の貯留領域とを段差部により区画したことを特徴とする遊技機。
【請求項２】
前記貯留領域は、奥側領域と、同奥側領域より手前側であり高位となる手前側領域とを有し、
前記奥側領域を、前記球出口に向けて下り傾斜となるよう形成するとともに遊技球を整列させて同球出口に案内する案内通路とし、
前記段差部を前記手前側領域に形成することにより同手前側領域と前記横長領域とを区画したことを特徴とする請求項１に記載の遊技機。
【請求項３】
前記球受け皿の奥側壁部における前記奥側領域の上流側となる部位に前記球入口を設け、
前記段差部の少なくとも前記球入口側となる部位の高さ寸法を、遊技球の半径寸法より大きくしたことを特徴とする請求項２に記載の遊技機。
【請求項４】
前記横長領域を、前記手前側壁部からその奥方に向けて下り傾斜となるように形成したことを特徴とする請求項１乃至請求項３のいずれか１つに記載の遊技機。
【請求項５】
前記横長領域を前記手前側壁部の上端より低位となるように形成したことを特徴とする請求項１乃至請求項４のいずれか１つに記載の遊技機。
【請求項６】
前記手前側壁部における前記横長領域からの高さ寸法を、遊技球の半径寸法より大きくしたことを特徴とする請求項５に記載の遊技機。
【請求項７】
前記手前側壁部の背面と前記停止操作部材との間隔をほぼ一定としたことを特徴とする請求項５又は請求項６に記載の遊技機。
【手続補正書】
【提出日】平成20年10月27日(2008.10.27)
【手続補正１】
【補正対象書類名】特許請求の範囲
【補正対象項目名】全文
【補正方法】変更
【補正の内容】
【特許請求の範囲】
【請求項１】
被検者を乗せる寝台を有したＸ線ＣＴ装置において、
前記寝台に備え付けられ接触を検知する接触検知部と、
前記接触検知部の検知に基づき前記寝台の動作を制御する寝台制御部と、
を備えたことを特徴とするＸ線ＣＴ装置。
【請求項２】
請求項１に記載のＸ線ＣＴ装置において、
前記寝台制御部は、前記寝台が垂直方向に移動中に、前記接触検知部が接触を検知すると、前記寝台の垂直方向の移動を停止させることを特徴とするＸ線ＣＴ装置。
【請求項３】
請求項１または２に記載のＸ線ＣＴ装置において、
前記寝台制御部は、前記寝台が垂直方向に停止中に、前記接触検知部が接触を検知すると、前記寝台の水平方向の固定または固定解除をすることを特徴とするＸ線ＣＴ装置。
【請求項４】
請求項１乃至３のいずれか一項に記載のＸ線ＣＴ装置において、
前記接触検知部は、前記寝台の下方に備えられ、前記寝台の長手方向に延在することを特徴とするＸ線ＣＴ装置。
被検者を乗せる寝台を有したＸ線ＣＴ装置において、
前記寝台に備え付けられ接触を検知する接触検知部と、
前記接触検知部の検知に基づき前記寝台の動作を制御する寝台制御部と、
を備えたことを特徴とするＸ線ＣＴ装置。
【手続補正２】
【補正対象書類名】明細書
【補正対象項目名】０００５
【補正方法】変更
【補正の内容】
【０００５】
上記目的は，被検者を乗せる寝台を有したX線CT装置において、前記寝台に備え付けられ接触を検知する接触検知部と、前記接触検知部の検知に基づき前記寝台の動作を制御する寝台制御部と、を備えたことで達成される。
【手続補正書】
【提出日】平成19年11月15日(2007.11.15)
【手続補正１】
【補正対象書類名】明細書
【補正対象項目名】００１９
【補正方法】変更
【補正の内容】
【００１９】
駆動部１５は、上部マスト２３及び下部マスト２４の下部側の機体１１に配置されており、メインモーター３６と、ピニオン３７と、同じ歯数の下部メインギア３８及び上部メインギア３９と、互いに反対方向に同じ速度で回転する反転用ギア対４０とを有する。メインモーター３６は、機体１１に駆動軸を上方に向けて取り付けられ、この駆動軸にピニオン３７が取り付けられている。下部メインギア３８は、上部マスト２３の下部側の細い軸部の下端部側に取り付けられ、上部メインギア３９は、下部マスト２４の下端部側に取り付けられている。下部メインギア３８は、メインモーター３６で回転駆動されるピニオン３７に噛合わされている。また、下部メインギア３８は、反転用ギア対４０の一方の歯車に噛合わされ、この反転用ギア対４０の他方の歯車は、上部メインギア３９に噛合わされている。すなわち、メインモーター３６による回転力は、ピニオン３７を介して下部メインギア３８に伝達され、また、この下部メインギア３８から反転用ギア対４０を介して上部メインギア３９に伝達され、それぞれ上部マスト２３及び下部マスト２４が互いに反対方向に回転駆動するようになっている。
【手続補正書】
【提出日】平成20年11月4日(2008.11.4)
【手続補正１】
【補正対象書類名】特許請求の範囲
【補正対象項目名】全文
【補正方法】変更
【補正の内容】
【特許請求の範囲】
【請求項１】
超音波探触子からの信号を伝達する第１の接続部と、
前記第１の接続部を有するプラグ基板と、
前記第１の接続部から信号を受け取る第２の接続部と、
前記プラグ基板を保持し、側面に第１のガイドピンを有する保持部と、
移動方向に平行に穿孔した段差のある第１のガイド穴を有する移動部とを備え、
前記第１のガイドピンを前記第１のガイド穴に係合し、前記移動部を移動することにより、前記保持部を移動させて前記第１の接続部と前記第２の接続部とを接続する
ことを特徴とする超音波診断装置用コネクタ。
【請求項２】
第２のガイド穴と第２のガイドピンを有し、筐体に固定されたガイド板と、をさらに備え、
前記移動部は穿孔した段差のない第３のガイド穴をさらに有し、
前記第１のガイドピンを前記第２のガイド穴に係合することにより前記保持部の移動方向を規制し、前記第２のガイドピンを前記第３のガイド穴に係合することにより前記移動部の移動方向を規制する
ことを特徴とする請求項１に記載の超音波診断装置用コネクタ。
【請求項３】
前記移動部に連結され段付部を有するハンドルと、
前記ハンドルを係合させるハンドル穴を有し、前記保持部の前記プラグ基板挿入側に近接して対向して配置されたストッパと、
前記ストッパを加圧する加圧部と、をさらに備え、
前記プラグ基板は前記ストッパに勘合する切欠部をさらに有し、
前記ストッパは、前記プラグ基板を前記保持部に挿入途中では前記加圧部の圧力に抗する方向に前記ハンドルの前記段付部の段差分だけ移動し、前記プラグ基板を前記保持部に挿入完了過程では前記加圧部の圧力により前記プラグ基板の切欠部に嵌合することを特徴とする請求項１または請求項２に記載の超音波診断装置用コネクタ。
【請求項４】
超音波探触子からの信号を伝達する第１の接続部と、
前記第１の接続部を有するプラグ基板と、
前記第１の接続部から信号を受け取る第２の接続部と、
前記プラグ基板を保持する保持部と、
ハンドルを有し前記保持部を移動させる移動部と、を備え、
前記第１の接続部と前記第２の接続部との接続時は、前記ハンドルを移動させることによって、前記保持部によって保持された前記プラグ基板が前記第２の接続部方向に移動し、前記第１の接続部と前記第２の接続部とが接続し、また、前記ハンドルを前記接続時と反対方向に移動させることにより前記プラグ基板が前記接続時と反対方向に移動し、前記第１の接続部と前記第２の接続部とが非接続になることを特徴とする超音波診断装置用コネクタ。
【手続補正書】
【提出日】平成20年11月5日(2008.11.5)
【手続補正１】
【補正対象書類名】特許請求の範囲
【補正対象項目名】全文
【補正方法】変更
【補正の内容】
【特許請求の範囲】
【請求項１】
鋼板の表面に付着した汚れを除去する為のブラシロールにおいて、前記ブラシロールはシャフトの周面にブラシ片を有するチャンネルブラシが形成されてあると共に、前記ブラシロールを構成するいずれかの部位の温度を検知する為の検知手段を有することを特徴とするブラシロール。
【請求項２】
請求項１記載の構成よりなるブラシロール、及び該ブラシロールの検知手段に連動し、ブラシ片を設定温度の範囲内に制御する為の保護手段を有する制御装置。
【手続補正２】
【補正対象書類名】明細書
【補正対象項目名】０００８
【補正方法】変更
【補正の内容】
【０００８】
また、第２の課題解決手段は、上記第１の課題解決手段よりなるブラシロール、及び該ブラシロールの検知手段に連動し、ブラシ片を設定温度の範囲内に制御する為の保護手段を有する制御装置としたものである。
【手続補正書】
【提出日】平成20年11月11日(2008.11.11)
【手続補正１】
【補正対象書類名】明細書
【補正対象項目名】００５７
【補正方法】変更
【補正の内容】
【００５７】
さらに、ジョイスティック本体５３の上面には、操作者が操作可能な操作軸５４が立設されている。操作軸５４の基端部は、ジョイスティック本体５３内に回動軸としての回動支点Ｏを中心に回動可能に軸支されている。
【手続補正２】
【補正対象書類名】明細書
【補正対象項目名】００６２
【補正方法】変更
【補正の内容】
【００６２】
また、ジョイスティック本体５３の内部には、操作軸５４の移動量を検出する移動量検出手段としての傾動方向及び傾動角度の検出装置（操作量検出手段）６２が設けられている。この検出装置６２は、例えば、操作軸５４の下端部に配設された磁石６３と、この磁石６３の下方に離間対向配置されたホール素子６４とを有する。ホール素子６４は電気ケーブル４４を介し、さらに電磁弁ユニット５を経由して湾曲駆動ユニット１１のモータ制御部３６に接続されている。そして、操作軸５４の傾動時には磁石６３の磁界の変化をホール素子６４によって検出する。このとき、ホール素子６４によって磁石６３の磁界を電圧に変えて操作軸５４の傾きの検出信号を湾曲駆動ユニット１１のモータ制御部３６に出力することにより、操作軸５４の傾動方向及び傾動角度が検出されるようになっている。
【手続補正３】
【補正対象書類名】明細書
【補正対象項目名】００７３
【補正方法】変更
【補正の内容】
【００７３】
さらに、移動部材８７は、軸心部に操作軸５４の中途部に係合される係合部８８を有する。図４（Ａ）に示すように移動部材８７の軸心部には操作軸５４を挿通する挿通孔８９が形成されている。図４（Ｂ）に示すように移動部材８７には、挿通孔８９の周縁部位に連結部としての板ばね状の複数の切り曲げ部９０が切り曲げ成形されている。これらの切り曲げ部９０は、操作軸５４の軸方向と直交する方向から傾斜させた傾斜状態で操作軸５４に接触させる傾斜部としての傾斜状態接触部を形成している。なお、本実施の形態では、移動部材８７の挿通孔８９の周縁部位に板ばね状の複数の切り曲げ部９０を設けた構成を示したが、これに代えて、移動部材８７の挿通孔８９の周縁部位にほぼ円錐台形状の連続した筒状の傾斜状態接触部を設けても良い。
【手続補正４】
【補正対象書類名】明細書
【補正対象項目名】００７４
【補正方法】変更
【補正の内容】
【００７４】
また、操作軸５４には、ダンパーケース８３と対応する部位に嵌合部としての中空体である円筒形状の筒状中空部材９１が操作軸５４の軸方向に摺動可能に装着されている。そして、移動部材８７の切り曲げ部９０の先端部はこの筒状中空部材９１に固定された状態で取り付けられている。これにより、移動部材８７の軸心部の切り曲げ部９０が筒状中空部材９１を介して操作軸５４の中途部に係合される係合部８８が形成されている。
【手続補正５】
【補正対象書類名】明細書
【補正対象項目名】００８８
【補正方法】変更
【補正の内容】
【００８８】
すなわち、本実施の形態のジョイスティック装置４５の操作感付与手段１０１は、第１の実施の形態の筒状中空部材９１に代えて球面部としての球状の球体１０２を設けたものである。この球体１０２の軸心部には、ジョイスティック装置４５の操作軸５４を挿通する挿通孔１０３が形成されている。そして、球体１０２の挿通孔１０３に操作軸５４がその軸方向に移動自在に挿通されている。
【手続補正６】
【補正対象書類名】明細書
【補正対象項目名】００８９
【補正方法】変更
【補正の内容】
【００８９】
また、移動部材８７の軸心部には、保持部としてのリング状の連結部材（連結部）１０４が設けられている。この連結部材１０４の内周面には球体１０２の外周面と対応する曲面形状の凹部１０５が形成されている。この連結部材１０４の凹部１０５と球体１０２の外周面との間が回動可能に連結されている。
【手続補正７】
【補正対象書類名】明細書
【補正対象項目名】００９４
【補正方法】変更
【補正の内容】
【００９４】
すなわち、本実施の形態のジョイスティック装置４５の操作感付与手段１１１では、第１の実施の形態の円板状の移動部材８７に代えてドーム状に形成されたドーム状部材としての半球状の半球殻状部材（移動部材本体）１１２を設けたものである。この半球殻状部材１１２の中心は、ジョイスティック本体５３内の操作軸５４の回動支点Ｏと一致されている。この半球殻状部材１１２は、軸心部に操作軸５４が貫通する貫通孔１１３が形成されている。半球殻状部材１１２の貫通孔１１３の周縁部には、操作軸５４を固定させた固定部（係合部）１１４が設けられている。
【手続補正書】
【提出日】平成19年12月12日(2007.12.12)
【手続補正１】
【補正対象書類名】特許請求の範囲
【補正対象項目名】全文
【補正方法】変更
【補正の内容】
【特許請求の範囲】
【請求項１】
遊技機前面部に設けられ遊技球を貯留する球受け皿と、
同球受け皿の球出口から流出する遊技球を取り込む取込装置とを備え、
同取込装置は取付部に対して着脱可能であり、同取付部における取付位置に配置されることで前記球出口からの遊技球の取り込みが可能となり、
同取込装置により予め定められた数の遊技球が取り込まれた場合に遊技の開始が許容される遊技機において、
特定位置を含んだ範囲内を移動可能な移動手段と、
前記取込装置に設けられ、同取込装置が前記取付位置に配置された状態にて前記移動手段を前記特定位置に定置する定置部と、
前記取込装置の着脱に際して後退又は取り外される遊技機構成体と、
前記移動手段が前記特定位置ではない非特定位置にある場合に前記遊技機構成体の固定を不可とする固定規制手段とを備えたことを特徴とする遊技機。
【請求項２】
前記移動手段は、回動又はスライド移動することにより前記特定位置を含んだ範囲内を移動可能であり、
さらに同移動手段を所定方向に回動又は所定方向にスライド移動させることで、同移動手段が前記定置部に当たりその回動又はスライド移動が前記特定位置にて規制されることを特徴とする請求項１に記載の遊技機。
【請求項３】
前記取込装置を前記取付部に対して特定方向にスライド移動させることで着脱可能とすると共に、前記取付位置を前記取込装置の取り付け方向へのそれ以上の移動が規制される位置に設定し、
さらに、前記定置部を前記取込装置の取り外し側端面に設け、
前記移動手段を、前記取付位置に配置された前記取込装置の前記取り外し側端面に沿って回動又はスライド移動するように構成したことを特徴とする請求項２に記載の遊技機。
【手続補正書】
【提出日】平成20年10月30日(2008.10.30)
【手続補正１】
【補正対象書類名】特許請求の範囲
【補正対象項目名】全文
【補正方法】変更
【補正の内容】
【特許請求の範囲】
【請求項１】
被検体の撮影領域が配置される空間に静磁場を印加する静磁場発生手段と、上記空間に傾斜磁場を印加する傾斜磁場発生手段と、高周波パルス発生手段と、被検体から磁気共鳴信号を受信する磁気共鳴信号受信手段と、磁気共鳴信号受信手段により受信された信号に基づいて、断層像を生成し表示する表示手段と、上記傾斜磁場発生手段、高周波パルス発生手段、磁気共鳴信号受信手段及び表示手段を制御する制御手段とを有する磁気共鳴イメージング装置において、
被検体の第１の領域の体動を示す第１のナビゲート信号発生手段と、第２の領域の体動を示す第２のナビゲート信号発生手段と、を備え、
上記制御手段は、上記第１のナビゲート信号と第２のナビゲート信号との相関関係を算出し、上記第１の領域の画像と第２の領域の画像とが連続するように、上記第１の領域及び第２の領域の少なくとも一方の領域の撮影を、この一方の領域から発生されたナビゲート信号及び上記相関関係に基づいて制御することを特徴とする磁気共鳴イメージング装置。
【請求項２】
請求項１記載の磁気共鳴イメージング装置において、上記第１のナビゲート信号発生手段は、被検体の胸部領域の体動を示す胸部ナビゲート信号発生手段であり、上記第２のナビゲート信号発生手段は、被検体の腹部領域の体動を示す腹部ナビゲート信号発生手段であり、上記制御手段は、上記胸部ナビゲート信号発生手段からのナビゲート信号と、腹部ナビゲート信号発生手段からのナビゲート信号との相関関係に基づいて、上記胸部ナビゲート信号が示す体動が一定のゲートウィンドウ内であるときを判断し、上記胸部ナビゲート信号を検出できる領域では、上記胸部ナビゲート信号に従って撮影を制御し、上記胸部ナビゲート信号は検出できないが、上記腹部ナビゲート信号を検出できる領域では、上記腹部ナビゲート信号に基づいて、胸部の体動が一定のゲートウィンドウ内であるときを判断し、撮影を制御することを特徴とする磁気共鳴イメージング装置。
【請求項３】
請求項２記載の磁気共鳴イメージング装置において、上記腹部ナビゲート信号が一定の値となった時点から、上記胸部ナビゲート信号が上記一定のゲートウィンドウ内となる予測時間を計測し、上記胸部ナビゲート信号は検出できないが、上記腹部ナビゲート信号を検出できる領域では、上記腹部ナビゲート信号が一定の値となった時点から上記予測時間後に撮影を開始することを特徴とする磁気共鳴イメージング装置。
【請求項４】
請求項２又は３記載の磁気共鳴イメージング装置において、被検体が配置され、被検体の複数の撮影領域を上記空間に順次移動させる移動手段を備え、上記制御手段は、上記移動手段を制御して被検体の広範囲を撮像することを特徴とする磁気共鳴イメージング装置。
【請求項５】
請求項２記載の磁気共鳴イメージング装置において、上記制御手段は、上記腹部ナビゲート信号の値が、一定の腹部ゲートウィンドウ内に入り、かつ、上記腹部ゲートウィンドウ内に入る直前に計測された上記腹部ナビゲート信号の値との差が正か負かに従って撮影開始時間を決定することを特徴とする磁気共鳴イメージング装置。
【請求項６】
請求項１乃至５のいずれか一項に記載の磁気共鳴イメージング装置において、上記制御手段は、上記ナビゲート信号を、２Ｄ励起法により発生させることを特徴とする磁気共鳴イメージング装置。
【請求項７】
被検体の複数の領域を撮影して画像を取得する制御手段を備えた磁気共鳴イメージング装置であって、
上記被検体の第１の領域の体動を示す第１の体動情報と、第２の領域の体動を示す第２の体動情報と、を取得する体動情報取得手段を備え、
上記制御手段は、上記第１の領域の画像と上記第２の領域の画像とが連続するように、上記第１の領域及び上記第２の領域の少なくとも一方の領域の撮影を、上記第１の体動情報及び上記第２の体動情報とに基づいて制御することを特徴とする磁気共鳴イメージング装置。
【手続補正２】
【補正対象書類名】明細書
【補正対象項目名】００１６
【補正方法】変更
【補正の内容】
【００１６】
そして、被検体の第１の領域の体動を示す第１の体動情報と、第２の領域の体動を示す第２の体動情報とを取得して、第１の領域の画像と第２の領域の画像とが連続するように、第１の領域及び第２の領域の少なくとも一方の領域の撮影を、第１の体動情報及び第２の体動情報とに基づいて制御する。
具体的には、上記磁気共鳴イメージング装置において、被検体の複数の領域のうちの第１の領域の体動を示す第１のナビゲート信号発生手段と、上記第１の領域に第２の領域の体動を示す第２のナビゲート信号発生手段とを備える。制御手段は、上記第１のナビゲート信号と第２のナビゲート信号との相関関係を算出し、上記第１の領域の画像と第２の領域の画像とが連続するように、上記第１の領域及び第２の領域の少なくとも一方の領域の撮影を、この一方の領域から発生されたナビゲート信号及び上記相関関係に基づいて制御する。
【手続補正３】
【補正対象書類名】明細書
【補正対象項目名】００１８
【補正方法】変更
【補正の内容】
【００１８】
制御手段は、胸部ナビゲート信号発生手段からのナビゲート信号と、腹部ナビゲート信号発生手段からのナビゲート信号との相関関係に基づいて、上記胸部ナビゲート信号が示す体動が一定のゲートウィンドウ内であるときを判断する。そして、腹部ナビゲート信号のみ検出できる領域では、腹部ナビゲート信号に基づいて、胸部の体動が一定のゲートウィンドウ内であるときを判断して、撮影を制御する。